(57)【要約】【課題】  障子開閉時には気密材が形材を擦らず、障子閉鎖時には合掌框を室内側に確実に引寄せて障子を気密材に圧接することができ、高遮音性を確保することができる開口部装置を提供する。【解決手段】  上枠２ａ、下枠２ｂ及び左右の縦枠２ｃからなる枠２と、該枠２内の両側部に嵌め殺しまたはスライド開閉自在に設けられた第１の障子３と、枠２内の中央部にスライド開閉自在に設けられた左右一対の第２の障子４と、閉鎖時の障子３，４間及び障子３，４と枠２間を封止する気密材１９〜２４とを備えた開口部装置１であって、前記第２の障子４の合掌框７ｃ上下端部と上枠及び下枠の対応箇所に、第２の障子４の合掌框７ｃを障子閉鎖時に室内側に引寄せるための互いに摺接するテーパー部３７ａ，３７ｂを有する障子側引寄せ部材３１Ａ，３１Ｂと枠側引寄せ部材３２Ａ，３２Ｂを設けている。【選択図】          図４
2005105723.tif 000002
【特許請求の範囲】
【請求項１】
上枠、下枠及び左右の縦枠からなる枠と、該枠内の両側部に嵌め殺しまたはスライド開閉自在に設けられた第１の障子と、枠内の中央部にスライド開閉自在に設けられた左右一対の第２の障子と、閉鎖時の障子間及び障子と枠間を封止する気密材とを備えた開口部装置であって、前記第２の障子の合掌框上下端部と上枠及び下枠の対応箇所に、第２の障子の合掌框を障子閉鎖時に室内側に引寄せるための互いに摺接するテーパー部を有する障子側引寄せ部材と枠側引寄せ部材を設けたことを特徴とする開口部装置。
【請求項２】
上枠、下枠及び左右の縦枠からなる枠と、該枠内の両側部に嵌め殺しまたはスライド開閉自在に設けられた第１の障子と、枠内の中央部にスライド開閉自在に設けられた左右一対の第２の障子と、閉鎖時の障子間及び障子と枠間を封止する気密材とを備えた開口部装置であって、前記第２の障子の合掌框上下端部と上枠及び下枠の対応箇所に、第２の障子の合掌框を障子閉鎖時に室内側に引寄せるための互いに摺接するテーパー部を有する障子側引寄せ部材と枠側引寄せ部材を設け、前記障子側引寄せ部材は合掌框上下端部から突没調整可能に設けられ、前記枠側引寄せ部材は左右方向に移動調整可能に設けられていることを特徴とする開口部装置。
【発明の詳細な説明】
【技術分野】
【０００１】
本発明は、両袖嵌め殺し中央引分けタイプまたは４枚建てタイプの開口部装置に係り、特に枠内中央部の左右一対の障子を障子閉鎖時に室内側に引寄せる構造を有する開口部装置に関する。
【背景技術】
【０００２】
開口部装置としては、両袖嵌め殺し中央引分けタイプのサッシや４枚建てタイプのサッシが知られている（例えば、特開平６−１４６７４０号公報参照）。この種の開口部装置においては、枠内の中央部で突き合わせられる左右一対（２枚）の障子を有する構造上、遮音性（気密性）の確保が問題となる。なお、遮音性の向上を図るために、障子間や障子と枠間には気密材が設けられている。
【０００３】
【特許文献１】特開平６−１４６７４０号公報
【発明の開示】
【発明が解決しようとする課題】
【０００４】
しかしながら、前記開口部装置においては、障子を気密材に圧接する構造ではないため、遮音性の安定性に問題がある。また、気密材が常に障子や枠の形材を擦る状態にあるため、障子の開閉操作性に劣る場合がある。
【０００５】
本発明は、上記事情を考慮してなされたものであり、障子開閉時には気密材が形材を擦らず、障子閉鎖時には合掌框を室内側に確実に引寄せて障子を気密材に圧接することができ、高遮音性を確保することができる開口部装置を提供することを目的とする。
【課題を解決するための手段】
【０００６】
本発明のうち、請求項１の発明は、上枠、下枠及び左右の縦枠からなる枠と、該枠内の両側部に嵌め殺しまたはスライド開閉自在に設けられた第１の障子と、枠内の中央部にスライド開閉自在に設けられた左右一対の第２の障子と、閉鎖時の障子間及び障子と枠間を封止する気密材とを備えた開口部装置であって、前記第２の障子の合掌框上下端部と上枠及び下枠の対応箇所に、第２の障子の合掌框を障子閉鎖時に室内側に引寄せるための互いに摺接するテーパー部を有する障子側引寄せ部材と枠側引寄せ部材を設けたことを特徴としている。
【０００７】
請求項２の発明は、上枠、下枠及び左右の縦枠からなる枠と、該枠内の両側部に嵌め殺しまたはスライド開閉自在に設けられた第１の障子と、枠内の中央部にスライド開閉自在に設けられた左右一対の第２の障子と、閉鎖時の障子間及び障子と枠間を封止する気密材とを備えた開口部装置であって、前記第２の障子の合掌框上下端部と上枠及び下枠の対応箇所に、第２の障子の合掌框を障子閉鎖時に室内側に引寄せるための互いに摺接するテーパー部を有する障子側引寄せ部材と枠側引寄せ部材を設け、前記障子側引寄せ部材は合掌框上下端部から突没調整可能に設けられ、前記枠側引寄せ部材は左右方向に移動調整可能に設けられていることを特徴としている
【発明の効果】
【０００８】
請求項１の発明によれば、上枠、下枠及び左右の縦枠からなる枠と、該枠内の両側部に嵌め殺しまたはスライド開閉自在に設けられた第１の障子と、枠内の中央部にスライド開閉自在に設けられた左右一対の第２の障子と、閉鎖時の障子間及び障子と枠間を封止する気密材とを備えた開口部装置であって、前記第２の障子の合掌框上下端部と上枠及び下枠の対応箇所に、第２の障子の合掌框を障子閉鎖時に室内側に引寄せるための互いに摺接するテーパー部を有する障子側引寄せ部材と枠側引寄せ部材を設けているため、障子開閉時には気密材が形材を擦らず、開閉操作性の向上が図れると共に、障子閉鎖時には合掌框を室内側に確実に引寄せて障子を気密材に圧接することができ、高遮音性を確保することができる。
【０００９】
請求項２の発明によれば、上枠、下枠及び左右の縦枠からなる枠と、該枠内の両側部に嵌め殺しまたはスライド開閉自在に設けられた第１の障子と、枠内の中央部にスライド開閉自在に設けられた左右一対の第２の障子と、閉鎖時の障子間及び障子と枠間を封止する気密材とを備えた開口部装置であって、前記第２の障子の合掌框上下端部と上枠及び下枠の対応箇所に、第２の障子の合掌框を障子閉鎖時に室内側に引寄せるための互いに摺接するテーパー部を有する障子側引寄せ部材と枠側引寄せ部材を設け、前記障子側引寄せ部材は合掌框上下端部から突没調整可能に設けられ、前記枠側引寄せ部材は左右方向に移動調整可能に設けられているため、請求項１の発明と同様の効果を奏することができる他に、障子側引寄せ部材の突没調整により障子の建て込み性の向上（脱着の容易化）及び外れ止めによる安全性の向上が図れ、枠側引寄せ部材の左右方向の移動調整により引寄せ量を容易に調整することができる。
【発明を実施するための最良の形態】
【００１０】
以下に、本発明を実施するための最良の形態について、添付図面を基に詳述する。図１は本発明の実施の形態である両側嵌め殺し中央引分けタイプのサッシを概略的に示す室内側正面図、図２の（ａ）は図１のＡ−Ａ線拡大断面図、（ｂ）は図１のＢ−Ｂ線拡大断面図、図３は図１のＣ−Ｃ線拡大断面図、図４は図１のＤ−Ｄ線拡大断面図である。図５は枠側引寄せ部材と障子側引寄せ部材を示す斜視図、図６は合掌框における障子側引寄せ部材の取付構造を示す概略的横断面図、図７の（ａ）は障子側引寄せ部材を合掌框の上下端部から引っ込めた状態を示す図、（ｂ）は障子側引寄せ部材を合掌框の上下端部から突出させた状態を示す図である。
【００１１】
これらの図において、１は両袖嵌め殺し中央引分けタイプのサッシ（窓サッシまたはテラスサッシ）で、このサッシ１は、建物の開口部に取付けられる上枠２ａ、下枠２ｂ及び左右の縦枠２ｃからなる枠（開口枠、サッシ枠ともいう）２と、該枠２内の両側部に嵌め殺しに設けられた（固定された）第１の障子である２枚の内障子（戸先障子ともいう）３と、枠２内の中央部にスライド開閉自在に設けられた第２の障子である左右一対（２枚）の外障子（突合せ障子ともいう）４とを備えている。前記上枠２ａ、下枠２ｂ及び縦枠２ｃは、例えばアルミ押出形材からなっている。内障子３は、例えばアルミ押出形材からなる上框５ａ、下框５ｂ及び左右の縦框である召合せ框（召内框）５ｃと戸先框５ｄからなる框５にガラスパネル６を嵌め込んでなり、外障子４は、上框７ａ、下框７ｂ及び左右の縦框である合掌框（突合せ框）７ｃと召合せ框（召外框）７ｄからなる框７にガラスパネル６を嵌め込んでなる。なお、図示例の障子３，４は中桟８を有している。
【００１２】
前記外障子４をスライド開閉自在に支持するために下枠２ｂ上面には下部レール９が、上枠２ａ下面には上部レール１０がそれぞれ長手方向に沿って設けられている。外障子４は同一のレール９上で突き合わせられている。外障子４の下框７ｂには下部レール９上を走行する戸車１１が設けられている。外障子４が障子閉鎖時に後述するように室内側に引寄せられる時に戸車１１が傾斜して外障子４の室内側への移動を許容するようになっている。
【００１３】
また、前記サッシ１は、障子閉鎖時に障子間及び障子と枠間を封止（シール）する気密材を備えている。図示例では、上枠２ａの下面には室内外方向略中間位置と室内面位置とに中間上リブ１２と室内上リブ１２とが長手方向に沿って設けられ、下枠２ｂの上面には室内外方向略中間位置と室内面位置とに中間下リブ１４と室内下リブ１５とが長手方向に沿って設けられている。また、縦枠２ｃの内面の室内面位置には室内縦リブ１６が長手方向に沿って設けられている。内障子３は、戸先框５ｄを縦枠２ｃの内面に当接させ、上端部を上枠２ａの中間上リブ１２と室内上リブ１３間に挿入し、下端部を下枠２ｂの中間下リブ１４上と室内下リブ１５上に跨って係合載置した状態でネジ止めにより固定されている。なお、内障子３が位置しない中間下リブ１４と室内下リブ１５間にはカバー材１７が取付けられて平坦面とされている。図示例のサッシは、下枠２ｂの上面がフラットで、通行の障害とならないバリアフリーになっている。
【００１４】
内障子３と枠２間を封止するために、室内上リブ１３の室外面には内障子３の室内面との間を封止する気密材１８が、室内縦リブ１６の室外面には内障子３の側部室内面との間を封止する気密材１９が、内障子３の下部には室内下リブ１５上部との間を封止する気密材２０がそれぞれ長手方向に沿って気密材取付溝を介して設けられている。また、外障子４と枠２間を封止するために、中間上リブ１２の室外面には外障子４の上部室内面との間を封止する気密材２１が、中間下リブ１４の室外面には外障子４の下部室内面との間を封止する気密材２２がそれぞれ長手方向に沿って気密材取付溝を介して取付けられている。更に、障子３，４間を封止するために、内障子３の召合せ框５ｃの室外面には外障子４の召合せ框７ｄの室内面との間を封止する気密材２３が長手方向に沿って気密材取付溝を介して取付けられ、また、両外障子４の合掌框７ｃの室内側対向部には互いに当接する気密材２４がそれぞれ長手方向に沿って気密材取付溝を介して取付けられている。なお、両外障子４の合掌框７ｃの室外側対向部の一方には他方の室内面側（室外から見て裏側）に入り込んで隙間２５を覆う覆い片２６が設けられている。
【００１５】
また、前記サッシ１は、前記外障子４の召合せ框７ｄを障子閉鎖時に室内側に引寄せる引寄せ手段として例えば煙返し２７ａ、２７ｂを備えている。煙返し２７ａ，２７ｂは、外障子４の召合せ框７ｃの外端側室内面に内向きに形成された横断面Ｌ字状の一方の煙返し２７ａと、内障子３の召合せ框５ｃの室内面に前記一方の煙返し２７ａと係合すべく外向きに形成された横断面Ｌ字状の他方の煙返し２７ｂとからなり、両煙返し２７ａ，２７ｂには互いに摺接して外障子４の召合せ框７ｄを室内側に引寄せるテーパー部２８ａ，２８ｂが形成されている。内障子３の召合せ框５ｃの外端面には、外障子４の召合せ框７ｄの室内面側に設けたクレセント受け２９に係合して施錠するクレセント錠３０が設けられている。このクレセント錠３０も、施錠時に外障子４の召合せ框７ｄを室内側に引寄せる機能を有しているため、引寄せ手段ということができる。
【００１６】
しかし、前記引寄せ手段だけでは外障子４の片側（召合せ框側）しか室内側に引寄せることができない。そこで、外障子４の合掌框７ｃ側を室内側に強制的に引寄せるために、前記外障子４の合掌框７ｃ上下端部と上枠２ａ及び下枠２ｂの対応箇所には、外障子４の合掌框７ｃを障子閉鎖時に室内側に引寄せるための互いに摺接するテーパー部３７ａ，３７ｂを有する障子側引寄せ部材３１Ａ，３１Ｂと枠側引寄せ部材３２Ａ，３２Ｂが設けられている。前記障子側引寄せ部材３１Ａ，３１Ｂは合掌框上下端部から突没調整可能に設けられ、前記枠側引寄せ部材３２Ａ，３２Ｂは左右方向に移動調整可能に設けられている。
【００１７】
障子側引寄せ部材３１Ａ，３１Ｂは、合掌框７ｃの上端部に設けられる合掌框上部引寄せ部材３１Ａと、合掌框７ｃの下端部に設けられる合掌框下部引寄せ部材３１Ｂとからなり、両者は上下対称で略同じ構造になっているため、一方である合掌框上部引寄せ部材３１Ａについて説明し、他方である合掌框下部引寄せ部材３１Ｂについては同一参照符号を付して説明を省略する。また、枠側引寄せ部材３２Ａ，３２Ｂは、上枠２ａに設けられる上枠側引寄せ部材３２Ａと、下枠２ｂに設けられる下枠側下部引寄せ部材３２Ｂとからなり、両者は略同じ構造になっているため、一方である上枠側引寄せ部材３２Ａについて説明し、他方である下枠側引寄せ部材３２Ｂについては説明を省略する。
【００１８】
前記合掌框７ｃは上下方向に連続した中空部（ホロー部）３３を有し、この中空部３３内の上端部と下端部に合掌框上部引寄せ部材３１Ａと合掌框下部引寄せ部材３１Ｂがそれぞれ嵌挿され、且つ外障子４の建て込み時に障子側引寄せ部材３１が枠２に干渉しないように突没調整可能に設けられている。合掌框上部引寄せ部材３１Ａの上端部には上部レール１０に緩く係合する溝部３４が形成され、外障子４の合掌框側が室内外方向に大きく振れないように規制する振れ止め機能を備えている。なお、外障子４の召合せ框７ｄの上下端部には外障子の召合せ框側が室内外方向に大きく振れないように規制する振れ止め部材（図示省略）が取付けられている。前記溝部３４を挟んで形成された室外側片部３５ａと室内側片部３５ｂのうち、室外側片部３５ａの障子開移動側上端部には上方に突出した突出部３６が形成され、該突出部３６の室外面には障子閉移動側に傾斜したテーパー部３７ａが形成されている。
【００１９】
前記合掌框上部引寄せ部材３１Ａの障子閉移動側端面の下部には固着具であるビス３８が捩じ込まれている。合掌框上部引寄せ部材３１Ａの内部には前記ビス３８を捩じ込む（螺着する）ための六角ナット３９が埋め込まれていることが好ましい。前記合掌框７ｃの閉移動側端面から前記ビス３８を前記合掌框上部引寄せ部材３１Ａに捩じ込むための孔部４０が設けられ、特に該孔部４０は合掌框上部引寄せ部材３１Ａの突没調整に伴うビス３８の上下移動を許容する上下方向に長い長穴になっている。すなわち、合掌框上部引寄せ部材３１Ａは、工場出荷時に図７の（ａ）に示すように前記突出部３６を合掌框７ｃの上端部から没入させた状態でビス３８で固定されており、外障子４を枠２に建て込んだなら、ねじ回しでビス３８を緩め且つ合掌框上部引寄せ部材３１Ａを上方へスライドさせ、図７の（ｂ）に示すように突出部３６を合掌框７ｃの上端部から所定量ｔ例えば８ｍｍ程度突出させた状態にし、この状態でビス３８を締めて合掌框上部引寄せ部材３１Ａを固定するようになっている。合掌框上部引寄せ部材３１Ａは、外障子４の建て込み後、突出部３６が合掌框７ｃの上端部から突出した状態とされるため、外障子４を上方に引き上げてけんどん式に取外すことが困難となり、障子が外れ難くなり、すなわち障子の外れ止め機能も発揮することができる。なお、合掌框上部引寄せ部材３１Ａには合掌框７ｃと上框７ａを組み付けるタッピングネジの頭部との干渉を避けるための長穴４１が形成されている。
【００２０】
一方、前記上枠側引寄せ部材３２Ａは、前記上枠２ａの下面における障子閉鎖時の前記合掌框上部引寄せ部材３１Ａと対応する位置にビス（図示省略）で固定されている。上枠側引寄せ部材３２Ａには前記合掌框上部引寄せ部材３１Ａの突出部３６のテーパー部３７ａに対応するテーパー部３７ｂが形成され、該テーパー部３７ｂに対して外障子４の閉鎖時に合掌框上部引寄せ部材３１Ａのテーパー部３７ａが摺接（係合）することにより、その楔作用で合掌框７ｃが室内側に引寄せられるようになっている。前記上枠側引寄せ部材３２Ａにはビス止め用の孔部４２が形成されているが、特に該孔部４２は引寄せ量を調整し得るように左右方向に長い長穴になっている。また、このように合掌框上部引寄せ部材３１Ａ及び上枠側引寄せ部材３２Ａに調整代（長穴状の孔部４０，４２）を設けていることにより、サッシの製作、施工誤差に対応できるようになっている。
【００２１】
以上の構成からなるサッシ１によれば、外障子４を閉鎖すると、合掌框７ｃの上下端部に設けられた障子側引寄せ部材である合掌框上部引寄せ部材３１Ａと合掌框下部引寄せ部材３１Ｂのテーパー部３７ａと、枠側引寄せ部材である上枠側引寄せ部材３２Ａと下枠側引寄せ部材３２Ｂのテーパー部３７ｂ同士が摺接し、合掌框７ｃを室内側に引寄せることができる。従って、外障子４を障子閉鎖時に室内側に確実に引寄せることができるため、外障子４を枠２の気密材２１，２２に圧接（圧着）することができ、高遮音性（高気密性）及び高止水性（高水密性）を確保することができる。また、外障子４の召合せ框７ｄが召合せ框側引寄せ手段である煙返し２７ａ、２７ｂのテーパー部２８ａ、２８ｂ同士の摺接により室内側に引寄せられることにより、外障子４の合掌框７ｃおよび召合せ框７ｄの両方を障子閉鎖時に同時に室内側に更に確実に引寄せることができるようになり、外障子４全体を面内均一に枠２の気密材２１，２２に圧接（圧着）することができるようになる。
【００２２】
このように障子閉鎖時のみ外障子４を積極的に室内側に引寄せることができる構造であるため、枠２の気密材２１，２２を常時外障子に接触させておく必要がないため、障子開閉時には気密材２１，２２が形材を擦ることがなく、開閉操作性の向上及び気密材の耐久性の向上が図れる。また、前記障子側引寄せ部材３１Ａ，３１Ｂが合掌框上下端部から突没調整可能に設けられているため、障子側引寄せ部材３１Ａ，３１Ｂの突没調整により、没入状態では障子の建て込み性の向上（脱着の容易化）が図れ、突出状態では高気密性・高水密性の確保と、障子の外れ止め機能による安全性の向上が図れる。前記枠側引寄せ部材３２Ａ，３２Ｂが左右方向に移動調整可能に設けられているため、枠側引寄せ部材３２Ａ，３２Ｂの左右方向の移動調整により引寄せ量を容易に調整することができる。
【００２３】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、前記実施の形態では本発明を両袖嵌め殺し中央引分け窓サッシに適用した例が示されているが、本発明は枠内両側部の内障子及び枠内中央部の２枚の外障子を共にスライド開閉自在にした４枚建てのサッシにも適用可能である。また、前記実施の形態では、第１の障子が内障子で、第２の障子が外障子になっているが、第１の障子と第２の障子が引違い（共に可動）の４枚建てタイプのサッシの場合（両袖嵌め殺し中央引分けタイプのサッシを除く）、第１の障子が外障子で、第２の障子が内障子であっても良い。
【図面の簡単な説明】
【００２４】
【図１】本発明を両袖嵌め殺し中央引分けタイプのサッシに適用した実施の形態を概略的に示す室内側正面図である。
【図２】（ａ）は図１のＡ−Ａ線拡大断面図、（ｂ）は図１のＢ−Ｂ線拡大断面図である。
【図３】図１のＣ−Ｃ線拡大断面図である。
【図４】図１のＤ−Ｄ線拡大断面図である。
【図５】枠側引寄せ部材と障子側引寄せ部材を示す斜視図である。
【図６】合掌框における障子側引寄せ部材の取付構造を示す概略的横断面図である。
【図７】（ａ）は障子側引寄せ部材を合掌框の上下端部から引っ込めた状態を示す図、（ｂ）は障子側引寄せ部材を合掌框の上下端部から突出させた状態を示す図である。
【符号の説明】
【００２５】
１  サッシ（開口部装置）
２  枠
２ａ  上枠
２ｂ  下枠
２ｃ  縦枠
３  内障子（第１の障子）
４  外障子（第２の障子）
７ｃ  合掌框
１９〜２４  気密材
２７ａ，２７ｂ  煙返し（引寄せ手段）
３７ａ，３７ｂ  テーパー部
３１Ａ，３１Ｂ  障子側引寄せ部材
３２Ａ，３２Ｂ  枠側引寄せ部材
【図１】
2005105723.tif 000003
【図２】
2005105723.tif 000004
【図３】
2005105723.tif 000005
【図４】
2005105723.tif 000006
【図５】
2005105723.tif 000007
【図６】
2005105723.tif 000008
【図７】
2005105723.tif 000009